(57)【特許請求の範囲】
【請求項１】
断熱構造の商品収納庫内を冷却することにより生じたドレン水を所定の蒸発部位に設置された蒸発皿に貯留したうえで蒸発シートにより蒸発させる自動販売機において、前記蒸発シートは環状に形成されるとともに蒸発促進用の風の通風方向の風上および風下に対応する部位が生じる態様で蒸発皿に敷設され、蒸発促進用の風の通風方向の風上に対応する部位に蒸発部面積を維持しつつ風の通過を許容する通風手段を設け、前記通風手段は、前記蒸発シートの風上に対応する部位に形成され、コの字状の切り込みにより一辺が前記蒸発シートに結合され、自由端が風下側に位置する態様で形成された舌片により形成された通風口であって、前記舌片は、庫外ファンが停止している場合には垂下して前記通風口を閉塞した状態にある一方、前記庫外ファンの運転により生じた前記蒸発促進用の風が当たった場合には前記蒸発シートとの結合部位を支点として、前記舌片の自由端が前記蒸発促進用の風の通風方向に対して風下側に位置する態様で傾斜するように揺動して前記通風口を開くことを特徴とする自動販売機のドレン水処理装置。
【発明の詳細な説明】
【技術分野】
【０００１】
この発明は、缶入り飲料，ペットボトル入り飲料等の商品を冷却してコールド商品として販売する自動販売機に係り、特に、缶入り商品ペットボトル入り商品等の商品が収納された断熱構造の商品収納庫内を冷却することにより生じたドレン水を所定の蒸発部位に設置された蒸発皿に貯留したうえで蒸発シートにより蒸発させる自動販売機に関する。
【０００２】
缶入り飲料，ペットボトル入り飲料などの商品を販売する清涼飲料自動販売機は、断熱筐体としてなる本体キャビネットの商品収納庫内に前記商品をコールド，ホット状態に区分して保存するとともに外扉のディスプレイ室内に複数の商品見本を左右に並べて展示し、前記商品見本に対応して設けられた商品選択ボタンの操作に基いて選択された商品を販売するように構成されている。この種の自動販売機について図４を用いて説明する。
【０００３】
この自動販売機は、図４に示すように、前面が開口した本体キャビネット１と、本体キャビネット１の前面にヒンジにより開閉可能に支持された片開き式の外扉２とを備え、前記本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板３により左右方向に複数の商品収納室１１，１２，１３に区画されている。前記各商品収納室１１，１２，１３には、この例ではサーペンタイン方式と呼ばれる蛇行した商品収納通路を有する商品収納ラック４がそれぞれ収容設置されている。前記本体キャビネット１の前面に開閉可能に支持された外扉２と本体キャビネット１における商品収納庫の前面との間には内扉５が配設され、この例では内扉５が上下の上内扉５１と下内扉５２に分割されている。下内扉５２には各商品収納室１１，１２，１３の商品収納ラック４から払い出された商品を送出するシューター６と対峙する位置に搬出扉５２ａを有する商品搬出口が設けられている。前記搬出扉５２ａは上端入口を軸支されて垂下するとともに自重により商品搬出口を閉塞して冷気若しくは暖気の流出を防止しており、シューター６を介して搬出される商品により押し開かれ、当該商品を外扉２の商品取出口２ａに送出するように形成されている。なお、前記外扉２の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉２の前面には硬貨投入口、紙幣挿入口、硬貨返却口、返却レバー、商品取出口、ハンドルロックなどが設けられている。
【０００４】
前記収納商品ラック４が収容設置される商品収納室１１，１２，１３の下部領域であるシューター６の下部には、熱交換器（冷凍機のエバポレータ），庫内ファン等からなる冷却ユニット（図示せず）が設置されている。前記本体キャビネット１における底壁１ａの下方領域は常温の機械室７として形成され、この機械室７には前記冷却ユニットと冷凍サイクルを構成する冷凍機のコンデンシングユニット８およびドレン処理装置９が配置される。前記冷凍機のコンデンシングユニット８は、図５に示すように、前記熱交換器（冷凍機のエバポレータ）によって庫内空気と熱交換して気化した冷媒を圧縮するコンプレッサー８１、圧縮された高温高圧の冷媒を外気との熱交換により再液化するコンデンサー８２、外気を取入れコンデンサー８２を洗流するように送風する庫外ファン８３等からなり、コンプレッサー８１，コンデンサー８２，庫外ファン８３を本体キャビネット１の基台１ｂの上に据付けた構成になる。前記ドレン処理装置９は、前記断熱仕切板３により区画された複数の商品収納室１１，１２，１３の底部に敷設された金属製のドレンパンに形成された排水口から底壁１ａを貫通するドレンパイプを介して集められるドレン水を貯留する蒸発皿９１、この蒸発皿９１に貯留されたドレン水に漬るように、蒸発皿９１に設けたガイド９１１に沿って敷設された蒸発シート９２からなり、蒸発皿９１を基台１ｂの上であって冷凍機のコンデンシングユニット８の側方に設置した構成になる。なお、清涼飲料自動販売機においては、複数の商品収納室１１，１２，１３のうち、商品収納室１１は冷却ユニットのみが配設されたコールド専用室として用いる一方、商品収納室１２，１３は冷却ユニットに加えてヒータ（加熱器）を追加装備して冷却／加熱ユニットを備えたコールド／ホット兼用室として用いることにより、コールド商品およびホット商品の販売を可能としているのが一般的である。また、冷却ユニットを構成する熱交換器をエバポレータ若しくはコンデンサーとして使用することより冷却／加熱を切り替えるようにしたものも多く利用されている。また、ドレン処理装置９におけるドレン水を蒸発皿９１に導くドレンパイプの代わりに、排水樋によりドレン水を導くようにしたものもある。
【０００５】
かかる構成の自動販売機における複数の商品収納室１１，１２，１３に収容された商品収納ラック４への商品の補充は、本体キャビネット１の前面を開閉する外扉２および内扉５（上内扉５１）を開放したうえで商品収納ラック４の商品投入口から商品を投入することにより行われ、商品の補充の際に外扉２および内扉５（上内扉５１）が開放されると外気が商品収納庫内に侵入する。このように商品収納庫内に外気が侵入した状態で冷凍機のコンデンシングユニット８を駆動して冷却ユニットにより商品収納ラック４に収納された商品を冷却するとともに保冷すると外気中に含まれた水蒸気が凝結してドレン水が発生する。このドレン水は、商品収納室１１，１２，１３の底部に敷設された金属製のドレンパンに形成された排水口からドレンパイプを介して蒸発皿９１に集められ、蒸発皿９１に敷設された蒸発シート９２に吸い上げられて当該蒸発シート９２の表面から蒸発して外部に放散される（例えば、特許文献１）。この特許文献１には、庫外ファン８３により機械室７の外部から取り入れられてコンデンサー８２を洗流して暖められた空気の通り道に蒸発皿９１を設置して蒸発シート９２に通風することにより蒸発シート９２からの蒸発を促進することも開示されている。
【先行技術文献】
【特許文献】
【０００６】
【特許文献１】特開平８−２９０４９号公報
【発明の開示】
【発明が解決しようとする課題】
【０００７】
ところで、蒸発皿９１に敷設された蒸発シート９２は、直立姿勢から横転すると蒸発皿９１に貯留されたドレン水の中に浸漬されてドレン水を蒸発する機能を失うことから安定して直立姿勢を保持する必要がある一方、塵埃の付着などにより汚染されることから適時交換される。このため、蒸発シート９２の直立姿勢を保持するために複雑な構造とした場合には交換作業が煩雑になる一方、交換作業を容易にした場合には安定した直立姿勢を保持するのが困難となるという反面性を有する。かかる点、特許文献１に開示された発明においては、蒸発シート９２を環状に形成するとともに蒸発皿９１に複数のガイド９１１を立設し、当該複数のガイド９１１に蒸発シート９２を架け渡して保持することにより、蒸発シート９２の交換作業が容易で、かつ、蒸発部面積を大きくすることが可能となる点で優れている。しかしながら、庫外ファン８３により機械室７の外部から取り入れられてコンデンサー８２を洗流して暖められた空気（風）を蒸発促進用の風として蒸発シート９２に通風させることにより蒸発シート９２からの蒸発を促進する場合、蒸発シート９２が環状に形成されていることから蒸発促進用の風の通風方向に対して風上および風下に位置する部位が生じてしまう。このため、庫外ファン８３からの蒸発促進用の風は、庫外ファン８３からの蒸発促進用の風の通風方向に対して風上に位置する部位の蒸発シート９２には当たるが、庫外ファン８３からの蒸発促進用の風の通風方向に対して風下に位置する部位の蒸発シート９２には、庫外ファン８３からの蒸発促進用の風が庫外ファン８３からの蒸発促進用の風の通風方向に対して風上に位置する部位の蒸発シート９２により遮られて当らなくなるという課題を有する。この場合、庫外ファン８３の回転数を高くして風量を増大すること、或いは蒸発シート９２を大型化若しくは蒸発シート９２に風通しの穴を開口することが考えられるが、庫外ファン８３の回転数を高くすると電力消費量が増大してランニングコストが嵩むという問題を有し、蒸発シート９２を大型化するとコストの増大を招来するとともに設置スペースが制約され、また、蒸発シート９２に通風穴を開口すると蒸発部面積が減少するという問題を有する。
【０００８】
本発明は上記の点に鑑みなされたものであり、その目的は前記課題を解決し、コスト増大や蒸発部面積の減少を招来することなく環状に形成された蒸発シートにおける蒸発促進用の風の通風方向に対して風下に位置する部位の蒸発シートにも蒸発促進用の風を良好に当ててドレン水蒸発の促進を図ることが可能な自動販売機を提供することにある。
【課題を解決するための手段】
【０００９】
上記目的を達成するために請求項１に係る発明は、断熱構造の商品収納庫内を冷却することにより生じたドレン水を所定の蒸発部位に設置された蒸発皿に貯留したうえで蒸発シートにより蒸発させる自動販売機において、前記蒸発シートは環状に形成されるとともに蒸発促進用の風の通風方向の風上および風下に対応する部位が生じる態様で蒸発皿に敷設され、蒸発促進用の風の通風方向の風上に対応する部位に蒸発部面積を維持しつつ風の通過を許容する通風手段を設け、前記通風手段は、前記蒸発シートの風上に対応する部位に形成され、コの字状の切り込みにより一辺が前記蒸発シートに結合され、自由端が風下側に位置する態様で形成された舌片により形成された通風口であって、前記舌片は、庫外ファンが停止している場合には垂下して前記通風口を閉塞した状態にある一方、前記庫外ファンの運転により生じた前記蒸発促進用の風が当たった場合には前記蒸発シートとの結合部位を支点として、前記舌片の自由端が前記蒸発促進用の風の通風方向に対して風下側に位置する態様で傾斜するように揺動して前記通風口を開くことを特徴とする。
【発明の効果】
【００１３】
本発明の請求項１に係る自動販売機によれば、断熱構造の商品収納庫内を冷却することにより生じたドレン水を所定の蒸発部位に設置された蒸発皿に貯留したうえで蒸発シートにより蒸発させる自動販売機において、前記蒸発シートは環状に形成されるとともに蒸発促進用の風の通風方向の風上および風下に対応する部位が生じる態様で蒸発皿に敷設され、蒸発促進用の風の通風方向の風上に対応する部位に蒸発部面積を維持しつつ風の通過を許容する通風手段を設け、前記通風手段は、蒸発シートの風上に対応する部位に形成され、コの字状の切り込みにより一辺が蒸発シートに結合され、自由端が風下側に位置する態様で形成された舌片により形成された通風口であって、前記通風手段は、前記蒸発シートの風上に対応する部位に形成され、コの字状の切り込みにより一辺が前記蒸発シートに結合され、自由端が風下側に位置する態様で形成された舌片により形成された通風口であって、前記舌片は、庫外ファンが停止している場合には垂下して前記通風口を閉塞した状態にある一方、前記庫外ファンの運転により生じた前記蒸発促進用の風が当たった場合には前記蒸発シートとの結合部位を支点として、前記舌片の自由端が前記蒸発促進用の風の通風方向に対して風下側に位置する態様で傾斜するように揺動して前記通風口を開くことにより、環状の蒸発シートにおける蒸発促進用の風の通風方向の風上に対応する部位に設けた通風手段により風上に位置する蒸発シートの蒸発部面積を維持しつつ蒸発促進用の風の通風方向の風下に対応する部位の蒸発シートにも蒸発促進用の風を当てることができるので、蒸発促進用の風による蒸発シートからの蒸発が向上し、前記通風手段は、蒸発シートの風上に対応する部位に形成され、コの字状の切り込みにより一辺が蒸発シートに結合された舌片により形成された通風口であることにより、蒸発シートにコの字状の切り込みを入れるという簡単な構成によってドレン水を蒸発させる舌片を残しつつ蒸発促進用の風の通過を許容する通風口を形成することができ、舌片を蒸発シートとの結合部位を支点に揺動可能としたことにより、蒸発シートの風上に対応する部位に形成された通風口が、庫外ファンが停止して蒸発促進用の風が生じていない場合には舌片により閉ざされているが、庫外ファンが駆動されて蒸発促進用の風が生じた場合には当該蒸発促進用の風により舌片が揺動して通風口を開くので、蒸発促進用の風の通風方向の風下に対応する部位の蒸発シートにも蒸発促進用の風を当てることができるものである。
【図面の簡単な説明】
【００１７】
【図１】本発明の実施の形態１にかかる自動販売機に係るドレン水処理装置の斜視図である。
【図２】図１のドレン水処理装置の蒸発シートを示し、（ａ）は蒸発促進用の風の送風方向風上側から見た正面図、（ｂ）は（ａ）のＡ−Ａ線断面図である。
【図３】本発明の実施の形態２にかかる自動販売機に係るドレン水処理装置の主要部の蒸発シートを示し、（ａ）は蒸発促進用の風の送風方向風上側から見た正面図、（ｂ）は（ａ）のＢ−Ｂ線断面図である。
【図４】本発明が対象とする自動販売機の扉開放図である。
【図５】従来装置を示すドレン水処理装置の平面図である。
【発明を実施するための形態】
【００１８】
以下、本発明の実施の形態にかかる自動販売機のドレン水処理装置を図面に基づいて詳細に説明する。なお、自動販売機の全体構成は図４に示すものと同一であるので重複する説明は省略し、ここでは従来装置と相違するドレン水処理装置について説明するものとし、また、図５に示した従来装置と同一のものには同一の符号を付して説明するものとする。
【００１９】
（実施の形態１）
図１において、８で再び冷凍サイクルを構成する冷凍機のコンデンシングユニットを示し、この冷凍機のコンデンシングユニット８は、コンプレッサー８１、コンデンサー８２、庫外ファン８３および電子膨張弁ユニット８４からなり、本体キャビネット１（図３参照）における底壁１ａの下方領域の常温の機械室７に設置されてなるものである。１０１，１０２，１０３はそれぞれ冷却ユニットを構成する熱交換器（冷凍機のエバポレータ）を示し、収納商品ラック４（図３参照）が収容設置される各商品収納室１１，１２，１３の下部領域であるシューター６の下部に庫内ファン（不図示）とともに設置され、冷凍機のコンプレッサー８１およびコンデンサー８２と冷媒配管ＲＰを介して接続されてなるものである。なお、電子膨張弁ユニット８４は、コンデンサー８２とエバポレータ１０１，１０２，１０３とを接続する配管の途中に設置された電子膨張弁（不図示）を集中的に設置したものであり、電子膨張弁としては、例えば、ソレノイドをパルス通電して電磁力により弁体を開閉させて冷媒流量および冷凍サイクルの過熱度を制御するものである。
図１において、９０は、ドレン水を貯留する蒸発皿９１、この蒸発皿９１に敷設された蒸発シート９２Ａからなるドレン水処理装置である。このドレン水処理装置９０が従来のドレン水処理装置９（図４参照）と相違する点は、蒸発シート９２Ａの構成であり、蒸発シート９２Ａを環状に形成するとともに蒸発皿９１に複数のガイド９１１（図４参照）を立設し、当該複数のガイド９１１に蒸発シート９２Ａを架け渡して保持する構成および蒸発皿９１を冷凍機のコンデンシングユニット８の側方に設置した構成は従来装置と同一である。
【００２０】
さて、前記蒸発シート９２Ａは、庫外ファン８３により機械室７（図３参照）の外部から取り入れられてコンデンサー８２を洗流して暖められた空気（風）がコンプレッサー８１に当ってコンプレサー８の側方に流れる蒸発促進用の風（白抜き矢印Ｙで示す）の通風方向に対して風上に位置する部位９２１と風下に位置する部位９２２を備える形態で蒸発皿９１に敷設されている。そして、蒸発シート９２Ａの部位には、図２にも示すように、コの字状の切り込みにより舌片９２３を切り起こして通風口９２４が形成されている。舌片９２３（通風口９２４）は、蒸発シート９２Ａを蒸発皿９１に敷設した状態において蒸発皿９１の縁よりも上方の領域に位置し、また、蒸発促進用の風（白抜き矢印Ｙで示す）の通風方向に対して風上に位置する部位９２１の延在方向に複数形成されている。また、下片９２３は、図２の（ｂ）に示すように、その自由端が蒸発促進用の風（白抜き矢印Ｙで示す）の通風方向に対して風下側に位置する態様で傾斜するよう切り起こされている。
【００２１】
かかる構成により、庫外ファン８３からの蒸発促進用の風は、蒸発シート９２Ａにおける風上に位置する部位９２１に当たるとともに、当該部位９２１に形成された通風口９２４を通って風下に位置する部位９２２にも当る。従って、庫外ファン８３からの蒸発促進用の風により蒸発シート９２Ａの風上の位置する部位９２１および風下に位置する部位９２２においてドレン水の蒸発が促進される。しかも、蒸発シート９２Ａにおける風上に位置する部位９２１に形成した通風口９２４が舌片９２３の切り起こしにより形成され、当該舌片９２３も蒸発部として機能することから前記位９２１における蒸発部の面積が減少することがない。よって、蒸発シート９２Ａにおける風下に位置する部位９２２に蒸発促進用の風を当てるために舌片９２３を残さずに舌片９２３を切り落として通風口９２４を形成した場合に比較して蒸発シート９２Ａによる蒸発効率を高めることができるものである。
【００２２】
前述したように、この実施の形態１にかかる自動販売機においては、断熱構造の商品収納庫内を冷却することにより生じたドレン水を所定の蒸発部位に設置された蒸発皿９１に貯留したうえで蒸発シート９２により蒸発させる自動販売機において、前記蒸発シート９２Ａは環状に形成されるとともに蒸発促進用の風の通風方向の風上および風下に対応する部位９２１，９２２が生じる態様で蒸発皿９１に敷設され、蒸発促進用の風（白抜き矢印Ｙ）の通風方向の風上に対応する部位９２１に蒸発部面積を維持しつつ風の通過を許容する通風手段（舌片９２３の切り起こしにより形成された通風口９２４）を設けたことにより、環状の蒸発シート９２Ａにおける蒸発促進用の風の通風方向の風上に対応する部位９２１に設けた通風手段により風上に位置する部位９２１の蒸発シート９２Ａの蒸発部面積を維持しつつ蒸発促進用の風の通風方向の風下に対応する部位９２２の蒸発シート９２Ａにも蒸発促進用の風を当てることができるので、蒸発促進用の風による蒸発シート９２Ａからの蒸発を向上さることができるものである。
【００２３】
（実施の形態２）
図３は本発明の実施の形態２に係る自動販売機のドレン水処理装置の主要部である蒸発シート９２Ｂを示し、（ａ）は蒸発促進用の風の送風方向風上側から見た正面図、（ｂ）は（ａ）のＢ−Ｂ線断面図である。
【００２４】
図３に示した蒸発シート９２Ｂが実施の形態１にかかる蒸発シート９２Ａと相違する点は、舌片９２３Ｂの構成である。すなわち、両者はコの字状の切り込みにより形成されている点は一致するが、実施の形態１にかかる蒸発シート９２Ａの舌片９２３が、その自由端が蒸発促進用の風の通風方向に対して風下側に位置する態様で傾斜するように切り起こしにより形成されているのに対し、実施の形態２の蒸発シート９２Ｂにかかる舌片９２３Ｂは蒸発シート９２Ｂとの結合部位を支点に揺動可能に形成されている点である。前記舌片９２３Ｂを蒸発シート９２Ｂとの結合部位を支点に揺動可能に形成するには、当該結合部位にミシン目９２Ｂ１を設けるか、若しくは、当該結合部位に溝を設けて薄肉とすればよい。
【００２５】
この実施の形態２にかかる蒸発シート９２Ｂの舌片９２３Ｂは、庫外ファン８３（図１参照）が停止している場合には垂下して通風口９２４Ｂを閉塞した状態にある一方、庫外ファン８３の運転により生じた蒸発促進用の風が当たった場合には蒸発シート９２Ｂとの結合部位を支点として、その自由端が蒸発促進用の風の通風方向に対して風下側に位置する態様で傾斜するように揺動（図３の（ｂ）に示す点線の状態）して通風口９２４Ｂを開く。従って、庫外ファン８３からの蒸発促進用の風により蒸発シート９２Ｂの風上の位置する部位９２１および風下に位置する部位９２２においてドレン水の蒸発が促進される。しかも、蒸発シート９２Ｂにおける風上に位置する部位９２１に形成した通風口９２４Ｂが蒸発シート９２Ｂと結合された舌片９２３Ｂにより形成され、当該舌片９２３Ｂも蒸発部として機能することから前記位９２１における蒸発部の面積が減少することがない。
【００２６】
なお、この実施の形態２にかかる蒸発シート９２Ｂを用いたドレン水処理装置は、実施の形態１にかかるドレン水処理装置が冷凍機のコンデンシングユニット８の側方に設置した構成であるのに対し、冷凍機のコンデンシングユニット８の後方、すなわち、図１におけるコンプレッサー８１を挟んで庫外ファン８３の反対側に設置する場合に適しているものである。
【００２７】
前述したように、この実施の形態２にかかる自動販売機においては、断熱構造の商品収納庫内を冷却することにより生じたドレン水を所定の蒸発部位に設置された蒸発皿９１に貯留したうえで蒸発シート９２により蒸発させる自動販売機において、前記蒸発シート９２Ｂは環状に形成されるとともに蒸発促進用の風の通風方向の風上および風下に対応する部位９２１，９２２が生じる態様で蒸発皿９１に敷設され、蒸発促進用の風（白抜き矢印Ｙ）の通風方向の風上に対応する部位９２１に蒸発部面積を維持しつつ風の通過を許容する通風手段（コの字状の切り込みに形成され、かつ、蒸発シート９２Ｂとの結合部位を支点に揺動可能な舌片９２３Ｂにより形成された通風口９２４Ｂ）を設けたことにより、環状の蒸発シート９２Ｂにおける蒸発促進用の風の通風方向の風上に対応する部位９２１に設けた通風手段により風上に位置する部位９２１の蒸発シート９２Ｂの蒸発部面積を維持しつつ蒸発促進用の風の通風方向の風下に対応する部位９２２の蒸発シート９２Ｂにも蒸発促進用の風を当てることができるので、蒸発促進用の風による蒸発シート９２Ｂからの蒸発を向上さることができるものである。
【００２８】
なお、上記各実施の形態においては、舌片９２３，９２３Ｂが蒸発促進用の風（白抜き矢印Ｙで示す）の通風方向に対して風上に位置する部位９２１の延在方向に複数形成されたものを示したが、舌片を一枚として蒸発促進用の風（白抜き矢印Ｙで示す）の通風方向に対して風上に位置する部位９２１の延在方向に長く形成することもできるものである。したがって、本発明は実施の形態に限定されるものではない。
【符号の説明】
【００２９】
１…本体キャビネット、２…外扉、４…商品収納ラック、５…内扉、８…冷凍機のコンデンシングユニット、８１…コンプレッサー、８２…コンデンサー、９０…ドレン水処理装置、９１…蒸発皿、９２Ａ，９２Ｂ…蒸発シート、１０１，１０２，１０３…熱交換器（冷凍機のエバポレータ）、９２３，９２３Ｂ…舌片、９２４，９２４Ｂ…通風口。
【図１】
0006398393.tif 000002
【図２】
0006398393.tif 000003
【図３】
0006398393.tif 000004
【図４】
0006398393.tif 000005
【図５】
0006398393.tif 000006